(57)【要約】【課題】音声又は映像信号の品質を評価する場合、評価時に混入したノイズに影響されずに客観的に評価を行う。【解決手段】音声信号又は映像信号等の評価対象信号の主観品質を評価対象信号の物理的特徴量の測定結果から推定する客観品質評価方法において、評価対象信号のＳ／Ｎ比と一次客観評価値とを算出し、この一次客観評価値をＳ／Ｎ比と補正値データベースとを参照して最終客観評価値に補正し、ノイズに影響されない最終評価値を得る。【選択図】　図１
2004056612.tif 000002
【特許請求の範囲】
【請求項１】
評価対象信号の主観品質を、評価対象信号の物理的特徴量の測定結果から推定する客観品質評価方法において、
評価対象信号の収録条件に応じて客観品質結果を補正することを特徴とする客観品質評価方法。
【請求項２】
請求項１記載の客観品質評価方法において、評価対象信号の収録条件を、評価対象系への入力信号と評価対象系からの出力信号を比較することにより決定することを特徴とする客観品質評価方法。
【請求項３】
請求項１記載の客観品質評価方法において、評価対象信号の収録条件を、評価対象系からの出力信号のみを用いて決定することを特徴とする客観品質評価方法。
【請求項４】
請求項２または３記載の客観品質評価方法の何れかにおいて、評価対象信号の収録条件を決定するパラメータとして、評価対象信号と測定ノイズのパワー比を用いることを特徴とする客観品質評価方法。
【請求項５】
評価対象系に評価対象信号を与える送信インタフェース部と、評価対象系から出力される評価対象信号を受信する受信インタフェース部と、
上記受信インタフェース部が受信した評価対象信号のＳ／Ｎ比を計算するＳ／Ｎ比計算部と、
上記受信インタフェース部が受信した評価対象信号の一次客観評価値を計算する客観評価値計算部と、
上記客観評価値計算部が算出した一次客観評価値を上記Ｓ／Ｎ比計算部が算出したＳ／Ｎ比を参照して最終客観評価値に補正する補正部と、
によって構成したことを特徴とする客観品質評価装置。
【請求項６】
コンピュータが読み取り可能な符号によって記述され、コンピュータが読み取って請求項１乃至４記載の客観品質評価方法の何れかを実行する客観品質評価プログラム。
【請求項７】
請求項６記載の客観品質評価プログラムをコンピュータが読み取り可能な記録媒体に記録した客観品質評価プログラムを記録した記録媒体。
【発明の詳細な説明】
【０００１】
【発明の属する技術分野】
本発明は、人間が音声又は映像を聴いて或は観てその品質を評価する主観評価試験を行うことなく、音声又は映像信号の物理的特徴量の測定から主観品質を推定する客観品質評価方法、客観品質評価装置、客観品質評価プログラム及びこのプログラムを記録した記録媒体に関する。
【０００２】
【従来の技術】
従来の客観品質評価装置では、評価対象系への入力信号と評価対象系からの出力信号を何らかの手段でディジタル信号として取り込み、客観評価アルゴリズム（例えば、ＩＴＵ−Ｔ勧告Ｐ．８６２に規定される音声品質客観評価方法）に基づいて評価値を算出している。
【０００３】
【発明が解決しようとする課題】
従来の客観品質評価装置によれば評価対象系がハードウェアであり、かつ客観評価装置とのインタフェースがアナログインタフェースである場合には、評価対象信号に雑音が重畳され、結果として評価値が雑音により影響を受けるなど、評価の普遍性が確保できない不都合がある。
本発明の目的は、客観評価装置と評価対象系のインタフェース部分において評価対象信号に重畳される雑音の影響を除去し、測定環境に依存した評価値の変動を回避した普遍的客観評価を可能とすることにある。
【０００４】
【課題を解決するための手段】
この発明の請求項１では、評価対象信号の主観品質を、評価対象信号の物理的特徴量の測定結果から推定する客観品質評価方法において、評価対象信号の収録条件に応じて客観品質結果を補正する客観品質評価方法を提案する。
この発明の請求項２では、請求項１記載の客観品質評価方法において、評価対象信号の収録条件を、評価対象系への入力信号と評価対象系からの出力信号を比較することにより決定する客観品質評価方法を提案する。
この発明の請求項３では、請求項１記載の客観品質評価方法において、評価対象信号の収録条件を、評価対象系からの出力信号のみを用いて決定する客観品質評価方法を提案する。
【０００５】
この発明の請求項４では、請求項２または３記載の客観品質評価方法の何れかにおいて、評価対象信号の収録条件を決定するパラメータとして、評価対象信号と測定ノイズのパワー比を用いる客観品質評価方法を提案する。
この発明の請求項５では評価対象系に評価対象信号を与える送信インタフェース部と、評価対象系から出力される評価対象信号を受信する受信インタフェース部と、受信インタフェース部が受信した評価対象信号のＳ／Ｎ比を計算するＳ／Ｎ比計算部と、受信インタフェース部が受信した評価対象信号の一次客観評価値を計算する客観評価値計算部と、客観評価値計算部が算出した一次客観評価値をＳ／Ｎ比計算部が算出したＳ／Ｎ比を参照して最終客観評価値に補正する補正部とによって構成した客観品質評価装置を提案する。
【０００６】
この発明の請求項６では、コンピュータが読み取り可能な符号によって記述され、コンピュータが読み取って請求項１乃至４記載の客観品質評価方法の何れかを実行する客観品質評価プログラムを提案する。
この発明の請求項７では請求項６記載の客観品質評価プログラムをコンピュータが読み取り可能な記録媒体に記録した客観品質評価プログラムを記録した記録媒体を提案する。
作用
本発明によれば客観評価装置と評価対象系のインタフェース部分において音声又は、映像信号に重畳される雑音の影響を考慮して客観評価値を補正するため、測定環境に依らない普遍的な評価を可能にすることができる。
【０００７】
【発明の実施の形態】
本発明の第１の実施例のブロック構成を図１に示す。図中１０はこの発明による客観品質評価装置、２０は評価対象系を示す。
この発明による客観品質評価装置１０は評価に用いる評価対象信号（音声信号又は映像信号）を蓄える信号データベース部１１と、評価対象系２０に評価対象信号を送信する送信インタフェース部１２と、評価対象系２０が出力した評価対象信号を受信する受信インタフェース部１３と、評価対象系２０に入力した評価対象信号と評価対象系２０が出力した評価対象信号とを比較することにより受信インタフェース部１３において重畳したノイズのＳ／Ｎ比を計算するＳ／Ｎ比計算部１４と、評価対象系２０に入力した評価対象信号と評価対象系２０が出力した評価対象信号とを比較することにより一次的な客観評価値を算出する客観評価値計算部１５と、Ｓ／Ｎ比計算部１４により得られるＳ／Ｎ比と客観評価値計算部１５により得られる一次客観評価値から補正値データベース部１７を参照することにより補正値を決定し、これを一次的な客観評価値に適用することにより最終客観評価値を出力する補正部１６とによって構成される。
【０００８】
客観評価値計算部１５では、たとえば音声品質客観評価尺度であるＩＴＵ−Ｔ勧告Ｐ．８６２を用いて評価に用いる音声信号と評価対象系２０からの出力音声信号を比較することにより一次客観評価値を算出する。
Ｓ／Ｎ比計算部１４では例えば評価対象系２０に入力した評価対象信号の無声部（音声信号又は映像信号が存在しない信号区間）と受信インタフェース部１３から受信した評価対象信号を比較することにより評価対象信号に重畳しているノイズの量を定量化する。
補正値データベース部１７にはＳ／Ｎ比に対応して一次客観評価値を最終客観評価値に変換する変換式を備える。またはＳ／Ｎ比と一次客観評価値の組み合わせに対応した最終客観評価値をテーブルとして保持する。
【０００９】
図２にこの発明の第２の実施例を示す。図１と対応する部分には同一符号を付して示す。図２に示す実施例の特徴とする点はＳ／Ｎ比計算部１４において評価対象系２０に入力した評価対象信号を利用せずに、評価対象系２０が出力した評価対象信号のみからＳ／Ｎ比を算出する構成とした点である。
具体的には受信インタフェース部１３から受信した評価対象信号の有音部又は有映像部（音声信号又は映像信号が存在する信号区間）と無音部又は無映像部（音声信号又は映像信号が存在しない信号区間）のパワー比によりＳ／Ｎ比を設定する。
【００１０】
その他の構成及び作用効果は図１の場合と同様であるからここではこれ以上の説明は省略する。
図３はこの発明の第３の実施例を示す。この実施例ではＳ／Ｎ比計算部１４が図２で説明した構成であることに加えて客観評価値計算部１５でも評価対象系２０が出力した評価対象信号のみを利用して客観評価値を算出する構成とした場合を示す。このように構成しても一次客観評価値を算出することができる。
上述した送信インタフェース部１２、受信インタフェース部１３、Ｓ／Ｎ比計算部１４、客観評価値計算部１５、補正部１６、はコンピュータが読み取り可能な符号によって記述された客観品質評価プログラムをコンピュータに実行させることによって実現することができる。
【００１１】
図４にこの発明による客観品質評価プログラムの概要を説明するためのフローチャートを示す。
ステップＳ１では信号データベース１１から評価対象信号を読み出す。
ステップＳ２では読み出した評価対象信号を送出する。
ステップＳ３では評価対象系を通過した評価対象信号を受信する。
ステップＳ４では受信した評価対象信号のＳ／Ｎ比を算出する。
ステップＳ５では受信した評価対象信号の一次客観評価値を計算する。
ステップＳ６ではＳ／Ｎ比と補正データベース部に備えた変換式又は変換テーブルを用いて一次客観評価値を最終評価値に補正し、最終評価値を出力する。
【００１２】
この発明による客観品質評価プログラムはコンピュータが読み取り可能な例えば磁気ディスク或はＣＤ‐ＲＯＭのような記録媒体に記録されてコンピュータにインストールされるか、或は通信回線を通じてコンピュータにインストールされ、ＣＰＵが解読することにより客観品質評価方法を実行する。
【００１３】
【発明の効果】
以上説明したように、本発明の客観品質評価方法及び客観品質評価装置によれば、評価対象信号に重畳したノイズの影響が客観評価値に与える影響を予め求めておくことにより、評価対象信号のＳ／Ｎ比に応じてこの影響を除去した普遍的な客観評価値を得ることができるようになる。
【図面の簡単な説明】
【図１】この発明による客観品質評価方法及び装置の第１の実施例を説明するためのブロック図。
【図２】この発明による客観品質評価方法及び装置の第２の実施例を説明するためのブロック図。
【図３】この発明による客観品質評価方法及び装置の第３の実施例を説明するためのブロック図。
【図４】この説明による客観品質評価プログラムの概要を説明するためのフローチャート。
【符号の説明】
１１　　　信号データベース部　　　　　１５　　　客観評価値計算部
１２　　　送信インタフェース部　　　　１６　　　補正部
１３　　　受信インタフェース部　　　　１７　　　補正値データベース部
１４　　　Ｓ／Ｎ比計算部
【図１】
2004056612.tif 000003
【図２】
2004056612.tif 000004
【図３】
2004056612.tif 000005
【図４】
2004056612.tif 000006